(57)【要約】【課題】各綿棒同士が自由で、綿が相互に擦れあって綿の表面が乱雑になったり、汚れたり、綿棒が折れたりしていた。【解決手段】綿棒を収容可能な長さのケース本体と、ケース本体の上部に回転可能に取付けた内蓋と、内蓋の外側に開閉可能に取付けた外蓋とを備える綿棒ケースについて、ケース本体の上面には綿棒を１本ずつ出し入れ可能な差込み口を複数個開口し、内部には差込み口から差込んだ綿棒を一本ずつ差込み口ごとに仕切る仕切り壁を形成し、内蓋には綿棒を一本ずつ取出し可能な取出し口を開口し、取出し口は内蓋を回転させると差込み口と位置合せ可能であり、それによってケース本体内の綿棒を一本ずつ取出し可能とした。また、前記仕切り壁をケース本体内の差込み口側からケース本体内の途中まで形成し、ケース本体内の仕切り壁の下方は仕切り壁の無い共通空間とした。また、内蓋が本体上面の差込み口ごとに間欠回転できるようにした。【選択図】      図１
2004224427.tif 000002
【特許請求の範囲】
【請求項１】
綿棒を収容可能な長さのケース本体と、ケース本体の上部に回転可能に取付けた内蓋と、内蓋の外側に開閉可能に取付けた外蓋とを備え、ケース本体の上面には綿棒を１本ずつ出し入れ可能な差込み口が複数個開口され、ケース本体には差込み口から差込まれた綿棒を一本ずつ差込み口ごとに仕切る仕切り壁が形成され、内蓋には綿棒を一本ずつ取出し可能な取出し口が開口され、取出し口は内蓋を回転させるとケース本体の差込み口と位置合せ可能であり、ケース本体内の綿棒は取出し口と差込み口とを位置合せすると差込み口から取出し口を通して一本ずつ取出し可能であることを特徴とする綿棒ケース。
【請求項２】
内蓋が本体上面の差込み口ごとに間欠回転可能であることを特徴とする請求項１記載の綿棒ケース。
【請求項３】
仕切り壁がケース本体内の差込み口側からケース本体内の途中まで形成され、ケース本体内の仕切り壁の下方は仕切り壁の無い共通空間であることを特徴とする請求項１又は請求項２記載の綿棒ケース。
【請求項４】
綿棒通路の共通空間との連通部に綿棒の通過を規制する規制部を設けたことを特徴とする請求項３記載の綿棒ケース。
【発明の詳細な説明】
【０００１】
【発明の属する技術分野】
本発明は、綿棒を１本ずつ収容、取出し可能であり、携帯に便利な綿棒ケースに関するものである。
【０００２】
【従来の技術】
従来は携帯に便利な綿棒入れが無いため、包装袋や容器内の多数本の綿棒から数本取出して、テイッシュペーパーに包んで携帯しているのが実情である。
【０００３】
【発明が解決しようとする課題】
綿棒をテイッシュペーパーとか他の紙に包んで携帯すると、次のような課題があった。
（１）携帯中に綿棒同士が擦れ合って、綿棒の頭部の綿が乱雑になり、使用時にきたならしいとか、使いにくいとか、摩擦によって頭部の綿に静電気が発生し、綿に細かいゴミが付着して綿が汚れることがある。
（２）一々紙を開いて綿棒を取り出すのが面倒である。取出した後に包み直すのも面倒である。
（３）携帯中に折れたり、紙から飛び出してポケットやバックの中で散乱して乱雑になり、探し出すのが面倒であった。また、使うまでに綿棒が汚れてしまい、非衛生的でもあった。
（４）海水浴やダイビング等の後は、濡れたり、汚れたりした指で綿棒を取り出すことが多いため、綿棒が濡れたり汚れたりし易い。
【０００４】
【課題を解決するための手段】
本発明の目的は、携帯に便利であり、綿棒を必要時に１本ずつ手軽に取り出すことのできる綿棒ケースを提供することにある。
【０００５】
本件出願の第１の綿棒ケースは、綿棒を収容可能な長さのケース本体と、ケース本体の上部に回転可能に取付けた内蓋と、内蓋の外側に内蓋を開閉可能に取付けた外蓋とを備え、ケース本体の上面には綿棒を１本ずつ出し入れ可能な差込み口が複数個開口され、ケース本体内には差込み口から差し込まれた綿棒を１本ずつ差込み口ごとに仕切る仕切り壁が形成され、内蓋に綿棒を１本ずつ取出し可能な取出し口が開口され、内蓋を回転させて取出し口を前記差込み口と位置合せするとケース本体内の綿棒が差込み口から取出し口を通って一本ずつ取出し可能なものである。
【０００６】
本件出願の第２の綿棒ケースは、前記綿棒ケースにおいて、内蓋が本体上面の差込み口ごとに間欠回転可能なものである。
【０００７】
本件出願の第３の綿棒ケースは、前記綿棒ケースにおいて、仕切り壁がケース本体内の差込み口側からケース本体内の途中まで形成され、ケース本体内の仕切り壁の下方を仕切り壁の無い共通空間としたものである。
【０００８】
本件出願の第４の綿棒ケースは、前記第３の綿棒ケースにおいて、綿棒通路の共通空間との連通部に綿棒の通過を規制する規制部を設けたものである。
【０００９】
【発明の実施の形態】
（実施形態１）
本発明の綿棒ケースの実施形態例の一例を図に基づいて詳細に説明する。図１の綿棒ケースは、ケース本体１と、内蓋２と、外蓋３とを備えている。
【００１０】
ケース本体１は筒型であって、底面に底蓋４が固定されている。ケース本体１の上部にはケース本体１の下部よりも少し細い外径の蓋被せ部５が形成されている。蓋被せ部５の天井板６には図２に示すように綿棒７を１本ずつ差込可能な差込み口８が７つ同心円上に開口されている。ケース本体１は例えば硬質樹脂製にして一定形状が保持される（定形性がある）ようにするのが好ましく、そのようにするとケース本体１が変形せず、内部に収容した綿棒が曲がったり、折れたりしない。
【００１１】
図３に示すようにケース本体１の内部には、ケース本体１の上方（差込み口８側）から下方途中まで綿棒通路９が垂直に７本形成されている。各綿棒通路９は差込み口８から差し込まれた綿棒７を１本ずつ差込み口８ごとに仕切る仕切り壁１０により区画されて、個々の差込み口８に連通している。
【００１２】
ケース本体１内の綿棒通路９よりも下方は区画壁の無い一つの共通空間１１となっており、綿棒通路９に差し込まれた綿棒７の下部が突出して収容されるようにしてある。前記共通空間１１及び綿棒通路９はケース本体１の下方（底側）から上方（差込み口８側）に向かって径が次第に狭くなる１°〜２°のテーパにして、ケース本体１内の綿棒７が差込み口８側に移動し易くなるようにしてある。
【００１３】
ケース本体１は綿棒７を数本収容することができるサイズである。綿棒７の太さ、長さ等は種々あるため、ケース本体１の直径、長さ、差込み口８の口径等のサイズは、収容する綿棒７のサイズに合わせて選択する。例えば、長さ７８ｍｍの綿棒を収容する場合のケース本体１の長さ（高さ）Ｈは８３ｍｍ程度が適し、外径は数本、例えば７本前後の綿棒を収容可能な寸法とし、差込み口８の口径は直径５ｍｍ程度が適する。ケース本体１の外周面上方には紐通し環１２が形成されている。
【００１４】
ケース本体１の外周面上部には縦長の溝１４が等間隔で形成されている。これはデザインと軽量化の面から形成されている。ケース本体１の上部の蓋被せ部５の外周面には７本の係止溝１５が均等間隔で縦向きに形成され、蓋被せ部５の下端全周には回転ガイド溝ｌ６がリング状に形成されている。
【００１５】
蓋被せ部５の上（外側）には内蓋２を被せてある。内蓋２は樹脂製の下方開口の筒型であり、外径がケース本体１の外径とほぼ同径である。内蓋２の内周面下端の３ヶ所にはケース本体１の回転ガイド溝１６に係止する係止爪１７が内側に突出するように形成されている。図４に示すように内蓋２の内周面の１箇所には縦長の嵌合突起１８が内側に突出するように形成されている。
【００１６】
蓋被せ部５の外周に被せた内蓋２はケース本体１の上縁１９の上にセットされ、内蓋２の係止爪１７がケース本体１の回転ガイド溝１６に係止して蓋被せ部５からの不用意に離脱しないようにすると共に、回転ガイド溝１６に沿って回転可能としてある。また、内蓋２の嵌合突起１８は蓋被せ部５の７本の係止溝１５のいずれかに嵌合して、回転する内蓋２が７本の係止溝１５に順次嵌合して、その都度停止しながら間欠回転するようにしてある。
【００１７】
内蓋２の上面には綿棒を１本ずつ取出し可能な取出し口２０が１つ開口されている。取出し口２０は図２のように内蓋２をケース本体１の蓋被せ部５に被せたときに差し込み口８の真上に重なる位置に開口されて、内蓋２を間欠回転させる度に、取出し口２０が順次個々の差込み口８と合致するようにしてある。
【００１８】
前記内蓋２には外蓋３がヒンジ２１により連結されて開閉可能であり、図１のように内蓋２の上に被さるように閉じ、図３のように外蓋３の外側まで開くようにしてある。外蓋３は内蓋２とほぼ同径の樹脂製の円板状であり、外周面に外側に突出する指掛け突起２２が一体に成型されている。この指掛け突起２２は図２のように閉じている外蓋３を開くときに指を掛けることができる大きさにしてある。外蓋の内面には嵌合用の栓２３が突設されている。その栓２３は外蓋３を図３に仮想線で示すように閉じると、内蓋２の取出し口２０内に嵌入（圧入）して外蓋３が不用意に開かないようにしてある。
【００１９】
（実施形態２）
本発明の綿棒ケースの実施形態例の他の例を図５に基づいて詳細に説明する。図５に示す綿棒ケースは、基本的構成は図１〜４に示す実施形態１の綿棒ケースと同じであるが、以下の点で異なる。
【００２０】
図５の綿棒ケースでは、ケース本体１の綿棒通路９の下端部を共通空間１１との連通口３１側に向けて次第に狭くなる所定角度のテーパにして、その下端部を抜け規制部３０としてある。この抜け規制部３０を設けることにより、ケース本体１を逆さにしてケース本体１の差込み口８側を下向きにしても、図５のように綿棒の下端頭部２５が前記抜け規制部３０に係止して同部３０に保持され、綿棒がケース本体１の差込み口８から一気に抜け落ちないようにしてある。図５のように抜け規制部３０に保持された綿棒は、差込み口８から内蓋２の取出し口２０の外まで突出している上端頭部２４の下の綿棒軸２６を指で摘んで取り出すことができる。この場合、上端頭部２４に指がふれないので、指が濡れていたり、汚れていたりしても、上端頭部２４が汚れることが無く、衛生的である。なお、本例の場合は、図５に示すように、綿棒通路９の長さを綿棒７の長さより短くして、綿棒７の下端頭部２５が抜け規制部３０に係止されたときに上端端部２４が取出し口２０から突出する長さとするのが、綿棒７の取出しに便利である。
【００２１】
（その他の実施形態）
前記実施形態１ではケース本体、内蓋、外蓋が樹脂製であったが、それらの材質はこれに限られず、紙製、金属製、木製等任意の材質とすることができる。また、前記ケース本体１の形状、高さ、太さ等のサイズは綿棒の長さ、太さ、収容する綿棒の本数等に応じて変えることができる。例えば、ケース本体の形状は六角形、八角形などの多角形、楕円形等であってもよい。この場合はケース本体の上部の蓋被せ部だけは円形にして、それに被せる内蓋が間欠回転できるようにする。
【００２２】
前記実施形態１では差込み口８が７個形成されているが、差込み口８はそれより多くても少なくてもよい。差込み口８の径の大きさも５ｍｍφに限らず綿棒の太さ等に応じて任意の大きさとすることができる。内蓋の取出し口２０は１つであったが２つ以上にしてもよい。内蓋と外蓋の連結もヒンジ機構に限らず、内蓋とも外蓋とも別体の連結治具を使用して開閉可能に連結することもできる。
【００２３】
前記実施形態２では、抜け規制部３０をテーパにすることで綿棒の抜けを規制するようにしたが、抜け規制部３０の構造は綿棒が一時的に係止されるものであそれ以外であっても良く、例えば、軟質樹脂製の弁とか、摩擦抵抗の大きいリング等を綿棒通路の下端部に取り付けるなどしても良い。
【００２４】
（使用例）
本発明の綿棒ケースに綿棒を収納したり取出したりするには、例えば次のようにする。
１．ケース本体１の各差込み口８から差込み口８内（ケース本体１内）に綿棒７を１本ずつ入れる。入れられた綿棒７はケース本体１内の仕切り壁１０により区画されて各差込み口８内に一本ずつ収納される。
２．内蓋２をケース本体１に取付け、外蓋３を閉めて内蓋２の上に被せる。
これによって、内蓋２の取出し口２０に外蓋３の栓２３が嵌入（圧入）されて、外蓋３が不用意に開くことが無い。
３．前記２の状態の綿棒ケースをバックに入れたり、紐通し環１２に紐やストラップを通して首に掛けたりして携帯する。
４．綿棒７を取出す時は、外蓋３を開けてから内蓋２を間欠回転させて、図３のように、内蓋２の取出し口２０を差込み口８の真上に位置するように位置合わせをする。
５．前記４のように位置合わせをしたまま綿棒ケースを差込み口８側を下にして傾けると、図１のように綿棒通路９内の綿棒７の上端頭部２４が差込み口８から取出し口２０を通って外部に突出する。
６．前記５のように突出した綿棒７を指で摘んで取り出す。
７．他の綿棒通路９内の綿棒７を取り出すときは、外蓋３を開けたまま内蓋２を間欠回転させて、内蓋の取出し口２０を別の差込み口８の真上に位置合わせをしてから、綿棒ケースを前記５のように傾けて、綿棒通路９によって支持された綿棒７の上端頭部２４を取出し口２０の外部に突出させる。
８．続けて綿棒７を取出す時は前記７の操作を繰り返す。
９．必要本数の綿棒７を取出したら、外蓋３を閉じて内蓋２に被せる。
【００２５】
【発明の効果】
本件出願の第１の綿棒ケースは次のような効果がある。
（１）小型、軽量であるため携帯に便利である。
（２）綿棒が綿棒ケース内に一本ずつ仕切って収納されるため、綿棒ケース内の綿棒が乱雑になったり、綿棒同士が綿棒ケース内で絡み合って出にくくなるとか、綿棒同士が擦れあって頭部が毛羽立つとか、解けるといったことが無く、きれいな状態に保持される。
（３）綿棒ケースが定形を保持できる固さであるため、収容されている綿棒が折れることも無い。
（４）外蓋があるため、バックの中に入れてある綿棒ケース内の綿棒が不用意に飛び出して、バック内に散らばることもない。
（５）外蓋を開けて、取出し口と差込み口とを位置合わせして、綿棒ケースを傾けるだけで、綿棒が取出し口より突出するので、綿棒の取出しが容易である。
（６）綿棒が一本づつ取出し口より突出するので、一本づつ確実に取り出すことができる。しかも取り出すときに手が他の綿棒に触れないため、他の綿棒が汚れたり、乱雑になったりすることも無い。濡れている手で綿棒を取出しても、他の綿棒が濡れることはないため、他の綿棒は収容したときのまま保持される。
【００２６】
本件出願の第２の綿棒ケースは、内蓋が綿棒出口ごとに間欠回転可能であるため、取出し口と綿棒出口とを容易且つ確実に位置合わせすることが出来、手軽に迅速に綿棒の取出しが可能となる。
【００２７】
本件出願の第３の綿棒ケースは、仕切り壁がケース本体内の綿棒出し入れ口側からケース本体の途中まで、またはケース本体の底まで形成されているため、上記各効果に加えて、次のような効果もある。
【００２８】
本件出願の第３の綿棒ケースは、前記綿棒ケースにおいて、仕切り壁がケース本体内の綿棒出し入れ口側からケース本体の途中まで形成され、ケース本体内の仕切り壁よりも下方は仕切り壁のない共通空間としたので、綿棒を一本ずつ確実に分離でき、しかも綿棒ケース全体を軽量化でき、携帯に適するものとなる。また、ケース本体の製造に要する材料が少なくなるのでコストダウンにも資する。
【００２９】
本件出願の第４の綿棒ケースは、上記各効果に加え、以下のような効果を有する。
（１）綿棒通路の共通空間との連通部に綿棒の通過を規制する規制部を備え、ケース本体を逆さにしても内部の綿棒が抜け規制部に一時的に係止されるので、ケース本体の差込み口から一気に抜け落ちることなく、綿棒を確実に１本ずつ取り出して使用することができる。
（２）綿棒が抜け規制部に一時的に係止されるために、保持された綿棒の軸を指で摘んで取り出すことができ、綿棒の頭部に指がふれないので、指が濡れていたり、汚れていたりしても、頭部が汚れることが無く、清潔に綿棒を使用することができる。
【図面の簡単な説明】
【図１】本発明の綿棒ケースの実施形態の一例を示す斜視図。
【図２】図１に示す綿棒ケースを示す分解斜視図。
【図３】図１に示す綿棒ケースを示す断面正面図。
【図４】図１に示す綿棒ケースの内蓋及び外蓋を示す断面正面図。
【図５】本発明の綿棒ケースの実施形態の他の一例を示す断面正面図。
【符号の説明】
１  ケース本体
２  内蓋
３  外蓋
４  底蓋
５  蓋被せ部
７  綿棒
８  差込み部
９  綿棒通路
１０  仕切り壁
１１  共通空間
１５  係止溝
１８  嵌合突起
２０  取出し口
【図１】
2004224427.tif 000003
【図２】
2004224427.tif 000004
【図３】
2004224427.tif 000005
【図４】
2004224427.tif 000006
【図５】
2004224427.tif 000007